(57)【要約】【課題】築年数の古い建築物において、各階の所要給水部への給水手段を、受水槽と高置水槽を利用する受水槽利用の給水装置から水道本管に直結する給水装置に変更する際、該変更を、建築物に既設の揚水管と配水管とを用いて行う場合に、老朽化している配水管が水道本管の水圧で破損しないように施工する。【解決手段】築年数の古い建築物８において、揚水管６を受水槽２と切り離し配水管１１を高置水槽９と切り離す工程と、水道本管３を、減圧弁１３を介して既設の揚水管６の下端側に連結する工程と、揚水管６の上端側を既設の配水管１１の上端側に連結し且つ揚水管６の上端に空気弁１８を設ける工程と、水道本管３の水圧を減圧弁１３で所要水圧に減圧する工程を含み、該所要水圧を、受水槽利用の給水装置で得られていた建築物８の最上階での給水部１２ａの水圧と同程度に設定する。【選択図】  図２
2018197483.tif 000002
【特許請求の範囲】
【請求項１】
水道本管の水道水が受水槽内に送給されて該受水槽内に貯留され、該受水槽内の貯留水が揚水管を介してポンプで建築物の屋上の高置水槽内に送給されて該高置水槽内に貯留され、該高置水槽内の貯留水が自然落下により該建築物の各階の所要給水部に配水管を介して給水されるようになされてなる、建築物における受水槽利用型給水装置において、前記受水槽と前記高置水槽を不要とする水道本管直結型給水装置の施工方法であって、
前記揚水管を前記受水槽と切り離す工程と、
前記配水管を前記高置水槽と切り離す工程と、
前記水道本管を、減圧弁を介して前記揚水管の下端側に連結する工程と、
該揚水管の上端側を前記配水管の上端側に連結すると共に該揚水管の上端に、管内に溜まった空気を放出させる空気弁を設ける工程と、
前記水道本管の水圧を前記減圧弁で所要水圧に減圧する工程を含み、
該所要水圧を、前記受水槽利用型給水装置において得られていた、前記建築物の最上階での給水部の水圧と同程度に設定することを特徴とする水道本管直結型給水装置の施工方法。
【発明の詳細な説明】
【技術分野】
【０００１】
本発明は、築年数の古いマンションやホテル、学校等の建築物における受水槽利用型給水装置を、水道本管直結型給水装置に変更するための水道本管直結型給水装置の施工方法に関するものである。
【背景技術】
【０００２】
築年数の古いマンションやホテル、学校等の建築物においては、その各階の所用個所への給水は、例えば図１に示すような受水槽利用型給水装置１Ａによって行われていた。該受水槽利用型給水装置１Ａは、地上や地下等に設けた大容量の受水槽２内に、水道本管３の水道水を取水管４を介して一旦貯留し、該受水槽２内の貯留水５を、揚水管（鋼管製）６を介してポンプ７で建築物８の屋上の高置水槽９内に貯留し、該高置水槽９内の貯留水１０を該高置水槽９から延びる配水管（鋼管製）１１を介して、自然落下によって各階の住戸等における所要の給水部（給水蛇口等）１２に給水するように構成されていた（特許文献１、２）。
【０００３】
しかしながらこの種の受水槽利用型給水装置１Ａにあっては、水道本管３より取水した水が、大容量の前記受水槽２内に送給され該受水槽２内に一旦貯留され、その後、前記高置水槽９内に送給され該高置水槽９内に貯留されることから、該受水槽２や該高置水槽９の衛生面での管理が不十分な場合は、給水蛇口等の給水部１２に不衛生な水が供給されるという問題が生じた。
【０００４】
そのために、前記受水槽２内の貯留水５や前記高置水槽９内の貯留水１０の水質検査や、該受水槽２や該高置水槽９の清掃等のメンテナンスを定期的に行う必要があってメンテナンス費用が高くつく問題があったばかりか、装置が古くなると、前記受水槽２や前記高置水槽９、前記ポンプ７の交換も必要となる等、経済的負担が大きい問題があった。
【０００５】
そこでこのような問題点を解決するために、前記受水槽２や前記高置水槽９を設けることなく水道本管３の水道水を各住戸等における給水部１２に直接供給する水道本管直結型給水装置が普及し始めている。該水道本管直結型給水装置によるときは、前記受水槽２や前記高置水槽９を必要としないために、建築物８の各住戸等における給水部に新鮮な水を供給できると共に、前記受水槽２内の貯留水５や前記高置水槽９内の貯留水１０の水質検査や、該受水槽２や該高置水槽９の清掃等のメンテナンスが不要となるので、保守管理の容易化が図られる等の利点があった。
【０００６】
ところで、前記した受水槽利用型給水装置を、かかる水道本管直結型給水装置に変更する際、建築物の築年数が例えば３５年程度或いはそれ以上と古い場合において、既設の揚水管（鋼管製）と配水管（鋼管製）をそのまま用いて該給水装置を構成せんとする場合に留意すべき事項は、老朽化している前記配水管１１が水道本管３の水圧で破損しないようにしなければならないという点であった。
【０００７】
これをより具体的に説明すれば、前記受水槽利用型給水装置１Ａによるときは、該受水槽２内の貯留水５を、ポンプ７で、前記揚水管６を介して前記高置水槽９内に貯留させることとしていたため、該揚水管６は、該ポンプ７による水圧に耐え得る強度を有していた。これに対して前記配水管１１は、前記高置水槽９内の貯留水１０を自然落下によって各階の住戸等における給水部１２に給水するための管であったため、該配水管１１は、該ポンプの水圧に耐え得る強度は有しておらず、該自然落下による水圧に耐えられるだけの強度を有するに過ぎなかった。従って、既設の揚水管６と既設の配水管１１を用いて前記変更を行う場合は、老朽化している該配水管１１が水道本管３の水圧で破損しないように留意することが必須となるのであった。
【先行技術文献】
【特許文献】
【０００８】
【特許文献１】特開２０１６−１５１１５３号公報
【特許文献２】特開平９−２７３１８５号公報
【発明の概要】
【発明が解決しようとする課題】
【０００９】
本発明は、築年数の古いマンションやホテル、学校等の建築物を対象としてその各階の所要給水部への給水手段を、それまでの受水槽利用型給水装置から水道本管直結型給水装置に変更する際、該変更を、該建築物に既設の揚水管と既設の配水管を用いて行う場合において、老朽化している該配水管が水道本管の水圧で破損しないように該変更の施工を行うことを課題とするものである。
【課題を解決するための手段】
【００１０】
前記課題を解決するため本発明は以下の手段を採用する。即ち本発明に係る水道本管直結型給水装置の施工方法は、水道本管の水道水が受水槽内に送給されて該受水槽内に貯留され、該受水槽内の貯留水が揚水管を介してポンプで建築物の屋上の高置水槽内に送給されて該高置水槽内に貯留され、該高置水槽内の貯留水が自然落下により該建築物の各階の所要給水部に配水管を介して給水されるようになされてなる、建築物における受水槽利用型給水装置において、前記受水槽と前記高置水槽を不要とする水道本管直結型給水装置の施工方法であって、前記揚水管を前記受水槽と切り離す工程と、前記配水管を前記高置水槽と切り離す工程と、前記水道本管を、減圧弁を介して前記揚水管の下端側に連結する工程と、該揚水管の上端側を前記配水管の上端側に連結すると共に該揚水管の上端に、管内に溜まった空気を放出させる空気弁を設ける工程と、前記水道本管の水圧を前記減圧弁で所要水圧に減圧する工程を含み、該所要水圧を、前記受水槽利用型給水装置において得られていた、前記建築物の最上階での給水部の水圧と同程度に設定することを特徴とするものである。
【発明の効果】
【００１１】
本発明によるときは、築年数の古いマンションやホテル、学校等の建築物を対象としてその各階の所要給水部への給水手段を、それまでの受水槽利用型給水装置から水道本管直結型給水装置に変更する際、該変更を、該建築物に既設の揚水管と既設の配水管を用いて行う場合に、老朽化している該配水管が水道本管の水圧で破損しないように施工でき、これによって安全な水道本管直結型給水装置を構成できることとなる。
【００１２】
そして本発明では、前記受水槽や前記高置水槽を必要としないために、建築物の各住戸等における給水部に新鮮な水を供給できると共に、前記した受水槽や前記高置水槽の水質検査や清掃等のメンテナンスが不要となるので、これらに要する保守管理費用を削減できる。又、該水道本管直結型給水装置を既設の揚水管と既設の配水管を用いて構成できるために施工コストの低減を期し得る。加えて本発明では、前記特許文献において使用されていたブースターポンプ等のポンプは全く使用しないため、その稼動のための電気料金が不要となる経済性もある。
【図面の簡単な説明】
【００１３】
【図１】従来の受水槽利用型給水装置を説明する説明図である。
【図２】本発明に係る水道本管直結型給水装置を説明する説明図である。
【発明を実施するための形態】
【実施例１】
【００１４】
図１〜２において本発明に係る水道本管直結型給水装置の施工方法（以下施工方法という）は、築年数の古いマンションやホテル、学校等の建築物における受水槽利用型給水装置１Ａ（図１）を、水道本管直結型給水装置１Ｂ( 図２) に変更するための水道本管直結型給水装置の施工方法に関するものである。
【００１５】
該受水槽利用型給水装置１Ａは、図１に示すように、地上や地下等に設けた大容量の受水槽２内に、水道本管３の水道水を取水管４を介して一旦貯留し、該受水槽２内の貯留水５を、揚水管（鋼管製）６を介してポンプ７で建築物８の屋上の高置水槽９内に貯留し、該高置水槽９内の貯留水１０を、該高置水槽９から延びる配水管（鋼管製）１１を介して、自然落下によって各階の住戸等における所要の給水部（給水蛇口等）１２に配水管１１を介して給水するようになされている。
【００１６】
本発明に係る施工方法は、建築物８における前記受水槽利用型給水装置１Ａにおいて、前記揚水管６を前記受水槽２と切り離す工程と、前記配水管１１を前記高置水槽９と切り離す工程と、前記水道本管３を、減圧弁１３を介して前記揚水管６の下端側１４に連結する工程と、該揚水管６の上端側１５を前記配水管１１の上端側１６に連結すると共に該揚水管６の上端１７に、管内に溜まった空気を放出させる空気弁１８を設ける工程と、前記水道本管３の水圧を前記減圧弁１３で所要水圧に減圧する工程を含み、該所要水圧を、前記受水槽利用型給水装置１Ａにおいて得られていた、前記建築物８の最上階での給水部１２の水圧と同程度に設定するものである。以下、これをより具体的に説明する。
【００１７】
前記建築物８は、例えば、築後３５年程度を経過した４階建てのマンションであり、該建築物８の４階における前記給水部( 水道蛇口等) １２ａの水圧は、例えば２日間に亘る２４時間の、水圧変動を随時記録できる自記録水圧測定器のデータの平均値で約０．８Kgf/cm2 であった。又、前記水道本管３の水圧は、例えば２日間に亘る２４時間の該自記録水圧測定器のデータの平均値で約４Kgf/cm2 であった。
【００１８】
前記変更に先立って、前記揚水管６の下端１９（図１）を前記受水槽２と切り離し、前記水道本管３に連結されている前記取水管４の上端２０を、連結管２１の一端２２に連結すると共にその他端２３を前記揚水管６の前記下端側１４に、連結管２１を介して連結する。そして該連結管２１には前記減圧弁１３を介装する。
【００１９】
又、前記配水管１１の上端２４（図１）を前記高置水槽９と切り離すと共に、該揚水管６の前記上端側１５を前記配水管１１の前記上端側１６に連結する。そして前記のように、該揚水管６の前記上端１７に、該揚水管６内の空気を放出させるための前記空気弁１８を設ける。この状態で、前記受水槽２（図１）と前記高置水槽９（図１）を撤去できる。
【００２０】
その後、前記水道本管３の水圧を前記減圧弁１３で前記所要水圧に減圧するのであるが、本実施例においては、前記所要水圧を、前記受水槽利用型給水装置１Ａにおいて前記４階（最上階）の蛇口部１２ａ（前記給水部１２の一種）で得られていた前記水圧と同程度に設定する。本実施例においては、前記した０．８Kgf/cm2 に設定する。
【００２１】
ところで前記揚水管６は、前記受水槽２内の貯留水５をポンプ７で前記高置水槽９内に送給する際に該ポンプ７による水圧に耐え得る構成のものであった。従って該揚水管６は、自然落下による水圧に耐えられればよいとして設計されていた前記配水管１１に比して高い耐圧性を有していた。例えば２Kgf/cm2 の耐圧性を有していた。従って該揚水管６は、前記の０．８Kgf/cm2 には十分に耐えられる。そして、前記所要水圧を０．８Kgf/cm2 に設定すれば、前記４階（最上階）に設置されている瞬間湯沸かし器への接続部としての給水部の水圧も０．８Kgf/cm2 であるため、該瞬間湯沸かし器を確実に作動させることができる。
【００２２】
もしも、前記減圧弁１３で水道本管３の水圧を減圧しないとすれば、老朽化した前記配水管１１に該水道本管３の水圧がそのまま掛かることになるため、該配水管１１が破損する恐れがある。
【００２３】
このようにして構成された水道本管直結型給水装置１Ｂによるときは、前記建築物の４階（最上階）における配水管部分（前記配水管１１の４階に存する部分）１１ａに、従来の受水槽利用型給水装置１Ａで得られていたと同程度の水圧しか掛からないため、該配水管部１１ａに無理な水圧をかけることには全くならない。又、３階の配水管部分（前記配水管１１の３階に存する部分）１１ｂや２階の配水管部分（前記配水管１１の２階に存する部分）１１ｃ、１階の配水管部分（前記配水管１１の１階に存する部分）１１ｄにも、前記受水槽利用型給水装置１Ａにおけると同程度の水圧が掛かるだけである。このようなことから、従来の受水槽利用型給水装置１Ａを用いていた場合と変わらない状態で、既設の配水管１１の各部に無理な水圧を掛けることなく水道本管直結型給水装置１Ｂを利用できることとなる。
【００２４】
かかる構成を有する水道本管直結型給水装置１Ｂによるときは、従来必須であった前記受水槽２（図１）や前記高置水槽９（図１）を用いないことから、前記建築物８の各住戸等における給水部１２に新鮮な水を供給できると共に、前記受水槽２内の貯留水５や前記高置水槽９内の貯留水１０の水質検査や、該受水槽２や該高置水槽９の清掃等のメンテナンスが不要となるので、これらに要した保守管理費用を削減できる利点がある。
【００２５】
そして、かかる水道本管直結型給水装置１Ｂは前記受水槽２や前記高置水槽９を用いないで給水できるため、建築物の各住戸等の所要給水部に新鮮な水を供給できる。又ポンプを使用しないため、その稼働のための電気料金を要さないことに加えて、ポンプの修理やポンプの交換を要さない経済性がある。
【実施例２】
【００２６】
本発明は、前記実施例で示したものに限定されるものでは決してなく、「特許請求の範囲」の記載内で種々の設計変更が可能であることはいうまでもない。その一例を挙げれば次のようである。
【００２７】
(1) 水道本管３の水圧によって、ポンプを用いることなく水道水を建築物８の最上階に供給できるのであれば、前記建築物８が５階建て以上のものであってもよい。
【００２８】
(2) 前記水道本管３の水圧を前記減圧弁１３（図２）で所要水圧に減圧する場合、減圧後の水圧は建築物によって異なり、前記した０．８Kgf/cm2 に特定されるものではない。減圧後の水圧はあくまでも、前記受水槽利用型給水装置１Ａにおいて得られていた、前記建築物８の最上階での給水部１２ａの水圧を前記自記録水圧測定器等の水圧測定器で計測した結果に基づいて設定されるものである。
【符号の説明】
【００２９】
１Ａ  受水槽利用型給水装置
１Ｂ  水道本管直結型給水装置
２  受水槽
３  水道本管
４  取水管
５  貯留水
６  揚水管
７  ポンプ
８  建築物
９  高置水槽
１０  貯留水
１１  配水管
１２  給水部
１３  減圧弁
１８  空気弁
【図１】
2018197483.tif 000003
【図２】
2018197483.tif 000004